(57)【要約】【課題】出力時の条件と出力処理データとを対応付けて登録しており、リプリント以外のプリント時の出力に関しても書かれていない。そのため、どのプリンタにもいつでもプリントできる場合において、デバイスのパネル設定がいつもの設定から変更されているデバイスで出力した際、いつも出力しているときの設定と違った出力になることがある。【解決手段】いつものユーザーの規範パネル設定を予め記憶しておき、出力する際にその記憶した設定と、出力するデバイスのパネル設定を比較する。異なっている場合は異なっている部分を表示し、予め記憶している設定値を使用するか、現在のパネル設定を使用するか選択する手段を設けることを特徴とする。【選択図】図３
2017035831.tif 000002
【特許請求の範囲】
【請求項１】
ユーザーの規範設定を予め記憶しておき、出力する際にその記憶した設定と、出力するデバイスのパネル設定を比較して、異なっている場合は異なっている部分を表示し、予め記憶している設定値を使用するか、現在のパネル設定を使用するか選択する手段を設けた、画像形成装置ならびに方法。
【請求項２】
規範設定は機械設置に設定しておき、その後ユーザーがパネルを変更する際、規範設定値を変更するか確認し、変更すると判断したときは規範設定値を変更する変更手段を設けたことを特徴とする請求項１に記載の画像形成装置ならびに方法。
【請求項３】
複数種類のデバイスがあるときは規範設定値は複数種類をデバイスに応じで記憶しておくことを特徴とする画像処理装置ならびに方法。
【発明の詳細な説明】
【技術分野】
【０００１】
本発明は、画像処理装置、画像処理方法、およびそのプログラムに関する。特にドライバ等から一時的にサーバー等にデータを保存し、保存したデータをどのプリンタからでも取り出し出力できるシステムにおいて、ドライバでパネル優先設定して出力する際の出力時の設定方法に関する。
【背景技術】
【０００２】
プリンタドライバからサーバーにPage Description Language（PDL）データを送り一時保存し、前記保存されたデータを出したいプリンタで、そのプリンタのUIからの指示で出力するシステムが使用されて来ている。このシステムを使うことで出力したままにならなく、取りに来ないため出力物が排紙部に溜まったり、出しっぱなしによりその出力物を他人に見られることも防げるようになった。サーバーに一時的に保存することで出力が足りない時に追加での再プリントが容易になった。
【０００３】
しかし、出力装置それぞれで、以前使用したときと使用時点におけるトレイ構成やフィニッシャの有無など、装置環境が異なるケースが多々あり、出力できないケースがある。その件に関しては、出力できない状態にならないように自動的に変更する技術がある（特許文献１）。
【０００４】
特許文献１では、先の（第１の）出力処理時に、そのときの出力条件と出力処理データ（具体的にはオリジナル画像）とを対応付けて登録しておく。次のリプリント処理時に使用する出力装置と出力処理データとの関係で適用可能な種々の出力条件の中から、登録しておいた先の出力処理時の出力条件とを照合する。照合で先の出力条件の修正の要否を判定し、修正が必要である場合には、その先の出力条件を、所定の変換ルールに基づいて、自動的に変換する方法が記載されている。
【先行技術文献】
【特許文献】
【０００５】
【特許文献１】特開２００６−２７９１８９号公報
【発明の概要】
【発明が解決しようとする課題】
【０００６】
しかしながら、特許文献１に開示されている方法では、出力指定されておりその出力条件と出力処理データを対応づけており、ドライバから出力指定がされていなく、デバイスのパネルの指定通り出力する場合に関しては書かれていない。また、出力時の条件と出力処理データとを対応付けて登録しており、リプリント以外のプリント時の出力に関しても書かれていない。そのため、どのプリンタにもいつでもプリントできる場合において、デバイスのパネル設定がいつもの設定から変更されているデバイスで出力した際、いつも出力しているときの設定と違った出力になることがある。
【０００７】
そこで、本発明の目的は、どのプリンタにもいつでもプリントできる場合において、いつでも、どこでも、プリントの出力画質を同じにすることが可能な画像形成装置を提供することにある。
【課題を解決するための手段】
【０００８】
上記の目的を達成するために、本発明に係る画像形成装置は、
いつものユーザーの規範パネル設定を予め記憶しておき、出力する際にその記憶した設定と、出力するデバイスのパネル設定を比較する。異なっている場合は異なっている部分を表示し、予め記憶している設定値を使用するか、現在のパネル設定を使用するか選択する手段を設けていることを特徴とする。
【発明の効果】
【０００９】
本発明に係る画像形成装置によれば、どのプリンタにもいつでもプリントできる場合において、デバイスのパネル設定がいつもの設定から変更されているデバイスで出力した際も、いつも出力しているときと同じ出力画質得ることが可能となる。
【図面の簡単な説明】
【００１０】
【図１】実施例１の画像処理装置のハードウェア構成の一例を示す図
【図２】実施例１の画像処理装置の機能構成の一例
【図３】実施例１の画像処理装置の処理フローを示すフローチャート
【図４】実施例１の操作部の一例を示す図
【図５】画像機能設定の規範設定値の一例を示す図
【図６】実施例１の操作部の一例を示す図
【図７】実施例１の操作部の一例を示す図
【図８】実施例１の操作部の一例を示す図
【図９】画像機能設定の規範設定値と本体パネル設定値の一例を示す図
【図１０】実施例１の操作部の一例を示す図
【図１１】実施例１の操作部の一例を示す図
【発明を実施するための形態】
【００１１】
以下、図面を用いて本発明について説明する。
【００１２】
（実施例１）
図１は本実施例の画像処理装置のハードウェア構成の一例を示す図である。
【００１３】
パーソナルコンピュータ（ＰＣ）１０１はアプリ等で作成したデータをプリンタドライバでPage Description Language（ＰＤＬ）に変換する。変換されたＰＤＬデータはネットワーク１０３を介してサーバー１０２に一時保存される。プリンタ１（１１３）で個人認証部１０５で個人認証を行い、認証した個人のプリントデータリストをデータ送受信部１０４でサーバー１０２から受け取る。受け取ったリストは操作部１１０に表示し、ユーザーは出力したいプリントデータリストを選択する。
【００１４】
選択されたプリントデータはサーバー１０２からデータ送受信部１０４で受信する。受信したＰＤＬデータはシステムバス１０８を介してＣＰＵ１０９でＰＤＬを解釈し、ラスタライズされビットマップに変換される。変換されたビットマップはＨＤＤ１１２にいったんスプールされプリントのタイミングに合わせてプリンタ処理部１０６に送られる。プリンタ画像処理部１０６はプリンタに出力するためのトナー濃度調整やシャープネス調整などの画像処理を行う。
【００１５】
プリンタ部は、前記画像処理部で生成したプリント用画像データを紙等の媒体にトナーなどで画像形成を行い、プリント物を出力する部分である。ＣＰＵ１０９は認証処理、プリント設定、プリントデータ処理や様々な演算処理を行い、それぞれの処理部の制御を行う部分である。操作部１１０はユーザー操作の入力などを行う部分である。ＲＡＭ１１１は各種処理のプログラムや設定値などを格納し、これら設定値は、処理の際にＣＰＵ１０９によって読み出されて参照される。
【００１６】
プリンタ２（１１４）はプリンタ１（１１３）と同種のプリンタで内部構成としてはプリンタ１と同様で、ユーザーは好みのプリンタから出力が可能となっている。
【００１７】
図２は本実施例の画像処理装置の機能構成の一例を示す図である。
【００１８】
規範設定生成部２０１は、プリンタ設置時等にユーザーのプリント時に使用するプリンタ設定を設置機のパネルのその時の設定から生成したり、ユーザーの設定に応じて生成する。その生成されたプリンタ設定は、規範設定値としてサーバー１０２に規範設定保存部２０２で個人毎にID等に対応付けて保存される。個人認証部２０３は、プリンタ設定を使うユーザーが誰かを特定するために個人をICカード等で認証する部分となる。
【００１９】
規範設定パネル設定比較判定部２０４は、前記規範設定保存部で保存したプリンタ設定と出力を行うプリンタのパネル設定値を比較する。パネル設定使用判定部は、前記規範設定パネル設定比較判定部２０４で規範設定とパネル設定が異なると判断された際、規範設定を使用するかパネル設定を使用するかの操作部１１０の設定を判断する。最終設定値設定部２０６は、後述する処理フローに従い最終的に確定したプリンタ設定を画像処理部に設定しプリント時に適用する。
【００２０】
なお図２の各処理部は、図１のＣＰＵ１０９がＨＤＤ１１２に格納されているプログラムをＲＡＭにロードし、実行することで実現される。
【００２１】
図３のフローチャートは一例として機械設置時にプリント設定の規範設定を行う例を示す。図３のフローチャートは図１のＣＰＵ１０９が、ＨＤＤ１１２に格納されている後述の図３のフローチャートを実行するためにプログラムをＲＡＭ１１１にロードし、実行することで実現される。
【００２２】
まず、ステップ３０１において、機械（プリンタ）を設置し、図４に示す設置モード（管理者）の操作部１１０の画面設定を表示する。処理はステップ３０２に進む。
【００２３】
ステップ３０２において、図４に示す操作部の表示に従い、まず、管理者はプリンタ設定をある特定の機械の設定にする機械の選択４０１か出力可能な機械のうちで一番多い設定にする多数設定の選択４０２のどちらかを選択する。図４では、管理者が機械の選択４０１でIPアドレスが172.22.21.01のプリンタを選択した例を示している。
【００２４】
次に前記プリンタ設定をどのユーザーに適用するかをユーザーの選択画面で選択する。そこで、管理者が個別選択４０３すると登録されているユーザー毎に設定が可能で、管理者が全選択４０４とすると登録されているユーザーすべてに前記プリンタ設定が適用される。ここでは全選択を選択した例を示している。次に管理者がOKボタン４０６を押すと選択した機械のプリンタ設定が登録されている全ユーザーの規範設定として生成される。図５に規範設定例の一例を示す。処理はステップ３０３に進む。
【００２５】
ステップ３０３において、前記全ユーザーの規範設定はサーバー１０２に規範設定として保存する。処理はステップ３０４に進む。ステップ３０４において、ユーザーはPC１０１でプリントするためのプリント指示を行う。その指示に従い、どのプリンタでも出せるようにサーバー１０２にプリントデータを送られる。その際、そのプリンタでも問題ないように画像処理設定がプリンタのパネルに従って動くようにパネル優先設定になっている。処理はステップ３０５に進む。
【００２６】
ステップ３０５において、ユーザーは出したいプリンタのところまで行き、図６に示す操作部１１０に従い、プリンタの個人認証部１０５にICカードをタッチし、個人認証を行う。個人認証を行うと図７に示す認証されたユーザーのジョブ選択画面に操作部１１０の表示が切り替わる。処理はステップ３０６に進む。ステップ３０６において、ユーザーは、図７に示すジョブ選択画面から出力したいジョブを選択する。ここではプリント１（７０１）を選択した例で示す。ユーザーは選択したジョブをプリントするためプリントボタン７０４を押し、プリント指示を行う。処理はステップ３０７に進む。
【００２７】
ステップ３０７において、規範設定とパネル設定が異なるか規範設定パネル設定比較判定部２０４で判定を行う。図９に示すような規範設定、本体パネルの場合は、トナー濃度とシャープネスの機能が異なっているため、前記判定はYesとなりステップ３０９に進む。また、異なっていない場合は前記判定はNoとなりステップ３０８に進む。ステップ３０８において、プリント設定としては、図５に示すID０００１の設定をプリント設定としてプリンタ処理部１０６に設定する。
【００２８】
ステップ３０９において、規範設定とパネル設定が異なるので、どちらを用いるかを確認する図８に示す設定確認画面を操作部１１０に表示する。設定確認画面ではパネルの設定を使用するか規範設定を使用するかをはい（８０１）といいえ（８０２）をユーザーは選択して切り替える。また、詳細設定ボタン８０３を選択すると図１０に示す詳細設定確認画面を操作部１１に表示する。詳細設定確認画面では、規範設定とパネル設定の異なる機能が表示され、それぞれの設定値を確認できるようになっている。
【００２９】
ユーザーはこの設定値を確認し、それぞれトナー濃度は規範設定、シャープネスはパネル設定を選択した例が図１０となる。更新ボタン１００５を押すとシャープネスは規範設定がパネル設定に変更され規範設定とパネル設定が同じとなるので画面が図１１となる。最後にこの状態で戻る１００６を押すと図８に戻る。処理はステップ３１０に進む
ステップ３１０において、図８の設定確認画面でパネル設定を使用するかユーザーは選択する。はい（８０１）を押すとステップ３１１に進み、いいえ（８０２）を押すとステップ３０８に進む。処理はステップ３１２に進む。ステップ３１２において、ユーザーは図８の設定確認画面で設定を確認後、プリントボタン８０４を押すことでプリントを開始する。
【００３０】
以上、本実施例によれば、どのプリンタにもいつでもプリントできる場合において、デバイスのパネル設定がいつもの設定から変更されているデバイスで出力した際も、いつも出力しているときと同じ出力画質得ることが可能となる。
【００３１】
（実施例２）
実施例１では、規範設定生成をプリンタ（機械）設置に行っていたが、ユーザーが出力を行いながらそのときのパネル設定の変更履歴が多いものを規範設定にしても同様の効果となる。
【００３２】
（実施例３）
実施例１、実施例２では、設定は１つのものだけであるが、複数種類のデバイスがあるときは規範設定値は複数種類をデバイスに応じで記憶しておいても同様の効果となる。
【００３３】
（その他の実施例）
また、本発明は、以下の処理を実行することによっても実現される。その処理は、上述した実施例の機能を実現させるソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００３４】
１（１１３）  プリンタ、１０１  パーソナルコンピュータ（ＰＣ）、
１０２  サーバー、１０３  ネットワーク、１０４  データ送受信部、
１０５  個人認証部、１０６  プリンタ処理部、１０８  システムバス、
１０９  ＣＰＵ、１１０  操作部、１１２  ＨＤＤ
【図２】
2017035831.tif 000003
【図５】
2017035831.tif 000004
【図６】
2017035831.tif 000005
【図９】
2017035831.tif 000006
【図１】
2017035831.tif 000007
【図３】
2017035831.tif 000008
【図４】
2017035831.tif 000009
【図７】
2017035831.tif 000010
【図８】
2017035831.tif 000011
【図１０】
2017035831.tif 000012
【図１１】
2017035831.tif 000013